(57)【特許請求の範囲】
【請求項１】
患者が居る病室のベッド近傍に設置され、医療従事者を呼び出す際に操作される呼出操作部と、前記呼出操作部が操作された場合に呼出信号を生成する子機用制御部と、前記子機用制御部により生成された呼出信号を出力する子機用インターフェース部とを有するナースコール子機、および、前記子機用インターフェース部から出力された呼出信号を入力するインターフェース部と、報知を行う報知部と、この報知に対する応答を行うための応答操作部と、前記インターフェース部が呼出信号を入力した場合に前記報知部を動作させるとともに、前記報知部が動作している状態で前記応答操作部が操作されると前記報知部の動作を停止させる制御部とを有するナースコール親機を備えたナースコールシステムであって、
前記ナースコール子機では、前記制御部が前記報知部の動作を停止させた状態で、前記呼出操作部が再度操作された場合に、前記子機用制御部はスタッフ呼出信号を生成し、前記子機用インターフェース部は前記スタッフ呼出信号を出力するとともに、前記ナースコール親機では、前記インターフェース部は、前記子機用インターフェース部から出力されたスタッフ呼出信号を入力し、前記制御部は、前記インターフェース部がスタッフ呼出信号を入力した場合に前記報知部により医療従事者が他の医療従事者の応援を要請していることを示す報知を行わせることを特徴とするナースコールシステム。
【請求項２】
患者が居る病室のベッド近傍に設置され、医療従事者を呼び出す際に操作される呼出操作部と、前記呼出操作部が操作された場合に呼出信号を生成する子機用制御部と、前記子機用制御部により生成された呼出信号を出力する子機用インターフェース部とを有するナースコール子機、および、前記子機用インターフェース部から出力された呼出信号を入力するインターフェース部と、報知を行う報知部と、この報知に対する応答を行うための応答操作部と、前記インターフェース部が呼出信号を入力した場合に前記報知部を動作させるとともに、前記報知部が動作している状態で前記応答操作部が操作されると前記報知部の動作を停止させる制御部とを有するナースコール親機を備えたナースコールシステムであって、
前記ナースコール親機では、前記制御部が報知部の動作を停止させた状態で、前記インターフェース部が子機用インターフェース部から出力された呼出信号を再度入力した場合に、前記制御部は、前記報知部により医療従事者が他の医療従事者の応援を要請していることを示す報知を行わせることを特徴とするナースコールシステム。
【発明の詳細な説明】
【技術分野】
【０００１】
本発明は、病院や介護施設などで患者や被介護者からの要求に応じて医療従事者や介護者を呼び出すナースコールシステムに関する。
【背景技術】
【０００２】
従来、病院や介護施設（以下、単に病院とする）では、ナースコールシステムが用いられている。ナースコールシステムは、病院の部屋（例えば、病室など）内の患者や被介護者（以下、単に患者とする）の近辺（例えば、ベッド近傍など）やトイレなどに設置されたナースコール子機および医療従事者や介護者（以下、単に医療従事者とする）の居る部屋（例えば、ナースステーションなど）に設置されたナースコール親機を有線などにより接続して構成されている。また、ナースコール親機によっては、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）を用いて、無線によってナースコール子機と接続するものも存在する。そして、患者によりナースコール子機に設けた呼出操作部が操作されると、ナースコール親機や携帯通信端末（以下、単にナースコール親機とする）は、自装置に設けられた報知部を動作させて、スピーカーから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。患者からの呼び出しを把握した医療従事者は、ナースコール親機に設けたハンドセットをオフフックするなどして、呼び出しに対して応答する。このオフフックにより、ナースコール親機は報知部による呼び出しの報知を停止させる。また、ナースコール親機として携帯通信端末を用いた場合には、医療従事者は、携帯通信端末に設けた応答操作部を操作することで、呼び出しに対して応答する。この応答操作部の操作により、携帯通信端末は報知部による呼び出しの報知を停止させる。
【０００３】
ところで、ナースコール子機の呼出操作部が操作された後に、ナースコール親機にて応答が行われない状態で、同じナースコール子機の呼出操作部が再度操作された場合に、ナースコール親機の報知部が重複して呼び出しの報知を行わないようにする点から、ナースコール子機の呼出操作部が操作された後に、ナースコール親機にて応答が行われない状態で、同じナースコール子機の呼出操作部が再度操作された場合に、呼出操作部への操作を受け付けないようにする技術が知られている（例えば、特許文献１など）。この特許文献１に記載の技術では、ナースコール親機が報知部による呼び出しの報知を停止させても、医療従事者が呼び出しを行った患者の居る病室へ赴くとは限らない点から、ナースコール子機を呼出操作部が操作される前の元の状態に戻すための復旧操作部をナースコール子機の近傍に設置するようにしている。これにより、医療従事者は、ナースコール子機を元の状態に戻すため、患者の居る病室へ赴くことになる。
【０００４】
また、医療従事者が患者の居る病室へ赴いた場合に、患者の容体が急に悪化することがある。このような場合に、医療従事者が他の医療従事者の応援を要請するためのスタッフコールボタンをナースコール子機の近傍に設置する技術が知られている（例えば、特許文献２など）。ここで、スタッフコールボタンは、緊急時に操作される可能性が高いため、スタッフコールボタンによる呼び出しとナースコール子機の呼出操作部による呼び出しとが重複した場合には、ナースコール親機はスタッフコールボタンによる呼び出しを優先して報知部に呼び出しの報知を行わせる。
【０００５】
ところで、特許文献２に記載されているスタッフコールボタンは、ナースコール子機の近傍に設置されているため、患者によって誤って操作されることがある。このような誤操作を防止するために、タグリーダーが医療従事者の携行するＩＣ（Ｉｎｔｅｇｒａｔｅｄ  Ｃｉｒｃｕｉｔ）タグを読み取った状態で呼出操作部が操作された場合に他の医療従事者を呼び出し、タグリーダーがＩＣタグを読み取っていない状態で呼出操作部が操作された場合に通常の呼び出しを行う技術が知られている（例えば、特許文献３など）。
【０００６】
しかしながら、特許文献３に記載の技術では、医療従事者が他の医療従事者の応援を要請するためのスタッフ呼出操作部として呼出操作部を動作させる場合には、呼出操作部の近傍にタグリーダーを設置し、各医療従事者にＩＣタグを携行させなければならないため、コストが高くなるとともに、タグリーダーを設置する手間や医療従事者にＩＣタグを携行させる手間がかかってしまうという問題があった。
【先行技術文献】
【特許文献】
【０００７】
【特許文献１】特開２００９−７７３８７号公報
【特許文献２】特開２００３−２３４８３６号公報
【特許文献３】特開２００９−５６１１９号公報
【発明の概要】
【発明が解決しようとする課題】
【０００８】
本発明は、このような問題を解決するために成されたものであり、ＩＣタグおよびタグリーダーを用いることなく、医療従事者が呼出操作部を利用して他の医療従事者の応援を要請することができるようにすることを目的とする。
【課題を解決するための手段】
【０００９】
上述した課題を解決するために、本発明のナースコールシステムでは、ナースコール子機の呼出操作部が操作された場合に、ナースコール親機にて報知を行い、この報知を停止する応答操作が行われた後に呼出操作部が再度操作された場合には、ナースコール親機にて医療従事者が他の医療従事者の応援を要請していることを示す報知を行うようにしている。
【発明の効果】
【００１０】
上記のように構成した本発明によれば、報知を停止する応答操作が行われた後に呼出操作部が再度操作された場合には、応答操作を行った医療従事者がナースコール子機を元の状態に戻すために呼び出しを行った患者の居る病室へ赴き、その医療従事者が呼出操作部を操作したと考えられるので、その医療従事者が他の医療従事者の応援を要請していることを示す報知がナースコール親機にて行われる。これにより、患者が呼出操作部を一度だけ操作しても、医療従事者が他の医療従事者の応援を要請していることを示す報知は行われない。また、二度目に呼出操作部が操作された場合に、医療従事者が他の医療従事者の応援を要請していることを示す報知が行われる。従って、医療従事者は、ＩＣタグおよびタグリーダーを用いることなく、通常の呼び出しを行うための呼出操作部を利用して他の医療従事者の応援を要請することができる。
【図面の簡単な説明】
【００１１】
【図１】本実施形態によるナースコースシステムの構成例を示すブロック図である。
【図２】本実施形態によるナースコールシステムを適用した病室およびナースステーションの状態例を示す図である。
【図３】本実施形態によるナースコースシステムの変形例を示すブロック図である。
【発明を実施するための形態】
【００１２】
以下、本発明の一実施形態を図面に基づいて説明する。図１は、本実施形態によるナースコールシステムの構成例を示すブロック図である。同図に示すように、本実施形態によるナースコールシステムは、ナースコール子機１、ナースコール親機１０を備えて構成されている。
【００１３】
図１において、ナースコール子機１は、病室の各患者の近辺（例えば、ベッド近傍など）に設置されており、患者が医療従事者を呼び出したり、医療従事者が他の医療従事者の応援を要請したりするためのものである。ここで、ナースコール子機１は、伝送線を介してナースコール親機１０に接続されている。また、ナースコール子機１は、子機用制御部２、子機用インターフェース部（以下、子機用Ｉ／Ｆ部と記載する）３、呼出操作部４、復旧操作部５を備えて構成されている。
【００１４】
ナースコール親機１０は、医療従事者の常駐する部屋（例えば、ナースステーションなど）に設置されており、患者からの呼び出しを報知したり、医療従事者が他の医療従事者の応援を要請するための呼び出しを報知したりするために使用される。また、ナースコール親機１０は、患者からの呼び出しや医療従事者が他の医療従事者の応援を要請するための呼び出しに対して応答するために使用される。
【００１５】
また、ナースコール親機１０とナースコール子機１との間には、図示しない制御機と図示しない廊下灯とが設置されている。制御機は、ナースコール子機１とナースコール親機１０との間の通信を制御する。廊下灯は、ナースコール子機１が設置されている病室の出入口近傍の廊下側に設置されており、病室の番号や病室を使用している患者の氏名などを表示している。また、廊下灯は、表示灯を備えており、ナースコール子機１により患者が医療従事者を呼び出したり、医療従事者が他の医療従事者を呼び出したりした場合に表示灯を点灯または点滅させて、呼び出しが行われている病室を医療従事者に知らせる。ここで、表示灯の点灯または点滅は、廊下灯が後述する応答信号を入力したり、後述する復旧信号を入力したりするまで行われる。
【００１６】
また、ナースコール親機１０が図示しない携帯通信端末（例えば、ＰＨＳやコードレス電話など）を無線によって接続している場合、携帯通信端末は、患者からの呼び出しを報知したり、他の医療従事者の応援を要請するための呼び出しを報知したりする。また、ナースコール親機１０は、制御部１１、インターフェース部（以下、Ｉ／Ｆ部と記載する）１２、報知部１３、応答操作部１４を備えて構成されている。
【００１７】
ナースコール子機１の子機用制御部２は、ＣＰＵ（Ｃｅｎｔｒａｌ  Ｐｒｏｃｅｓｓｉｎｇ  Ｕｎｉｔ）などにより構成されており、ナースコール子機１の各構成要素を後述するように制御する。子機用Ｉ／Ｆ部３は、ナースコール子機１にナースコール親機１０を接続して通信を行う。ここで、子機用Ｉ／Ｆ部３は、後述する処理により生成された呼出信号、スタッフ呼出信号、復旧信号および音声信号をナースコール親機１０へ出力するとともに、ナースコール親機１０から出力された応答信号および音声信号を入力する。
【００１８】
呼出操作部４は、ボタンなどにより構成されており、患者により医療従事者を呼び出したり、医療従事者により他の医療従事者の応援を要請したりするために操作される。呼出操作部４が操作されると、子機用制御部２は呼出信号を生成する。また、子機用Ｉ／Ｆ部３が応答信号を入力した状態で呼出操作部４が操作されると、子機用制御部２はスタッフ呼出信号を生成する。ここで、呼出信号は、患者が医療従事者を呼び出していることを示す信号である。また、スタッフ呼出信号は、医療従事者が他の医療従事者の応援を要請していることを示す信号である。また、呼出信号およびスタッフ呼出信号は、このナースコール子機１を他のナースコール子機１と識別するための子機識別情報（例えば、ベッド番号など）を含む。また、図２（ａ）に示すように、呼出操作部４は、病室内のベッド近傍の壁面に設置されている。なお、本実施形態では、呼出操作部４は、壁面にのみ設置されているが、これに限定されない。例えば、呼出操作部４をコードによって壁面に接続し、患者が手元で操作することができるようにしても良い。
【００１９】
復旧操作部５は、ボタンなどにより構成されており、呼出操作部４が操作される前の状態にナースコール子機１の状態を戻すために操作される。呼出操作部４が操作された状態で、復旧操作部５が操作されると、子機用制御部２は、呼出操作部４が操作される前の状態にこのナースコール子機１を戻すとともに、このナースコール子機１の子機識別情報を含む復旧信号を生成する。ここで、ナースコール親機１０による報知が行われている状態で復旧操作部５が操作された場合には、ナースコール親機１０での報知も停止する。また、復旧信号は、復旧操作部５が操作されたことをナースコール親機１０へ伝達するための信号である。また、復旧信号は、このナースコール子機１を他のナースコール子機１と識別するための子機識別情報（例えば、ベッド番号など）を含む。また、図２（ａ）に示すように、復旧操作部５は、呼出操作部４の近傍の壁面に設置されている。なお、本実施形態では、復旧操作部５は、呼出操作部４の近傍に設置されているが、これに限定されない。例えば、廊下灯などに復旧操作部５を設置するようにしても良い。
【００２０】
呼出操作部４が操作されて子機用制御部２が呼出信号を生成した状態では、呼出操作部４が続けて操作されても、子機用制御部２は呼出信号もスタッフ呼出信号を生成しない。この状態は、子機用Ｉ／Ｆ部３が後述する応答信号をナースコール親機１０から入力するか、復旧操作部５が操作されるまで継続される。また、子機用制御部２がスタッフ呼出信号を生成した状態では、呼出操作部４が続けて操作されても、子機用制御部２は呼出信号もスタッフ呼出信号も生成しない。この状態は、復旧操作部５が操作されるまで継続される。
【００２１】
また、ナースコール子機１には通話機能が搭載されている。ナースコール子機１とナースコール親機１０との間で通話路が形成されると、子機用制御部２は、このナースコール子機１に設けた子機用マイクおよび子機用スピーカー（ともに図示せず）を動作させる。子機用マイクは、ナースコール子機１を使用している患者などの声を含むナースコール子機１の周囲の音声を入力して、入力した周囲の音声を音声信号に変換して子機用制御部２へ出力する。また、子機用Ｉ／Ｆ部３は、子機用制御部２が子機用マイクから入力した音声信号をナースコール親機１０へ出力する。また、子機用制御部２は、子機用Ｉ／Ｆ部３が入力した音声信号を子機用スピーカーへ出力する。また、子機用スピーカーは、ナースコール親機１０から入力した音声信号を音声により出力する。また、ナースコール子機１とナースコール親機１０との間で形成されていた通話路が切断されると、子機用制御部２は子機用マイクおよび子機用スピーカーの動作を停止させる。
【００２２】
ナースコール親機１０の制御部１１は、ＣＰＵなどにより構成されており、ナースコール親機１０の各構成要素を後述するように制御する。Ｉ／Ｆ部１２は、ナースコール親機１０にナースコール子機１を接続して通信を行う。ここで、Ｉ／Ｆ部１２は、ナースコール子機１から出力された呼出信号、スタッフ呼出信号、復旧信号および音声信号を入力するとともに、後述する処理により生成された応答信号および音声信号をナースコール子機１へ出力する。
【００２３】
報知部１３は、患者が医療従事者を呼び出していることを示す報知および医療従事者が他の医療従事者の応援を要請していることを示す報知を行うためのものである。ここで、報知部１３は、スピーカーや表示灯、表示装置などにより構成されている。また、報知部１３は、患者が医療従事者を呼び出していることを示す報知と医療従事者が他の医療従事者の応援を要請していることを示す報知とを区別するために報知のパターンを異ならせて報知を行う。また、報知部１３は、呼出信号およびスタッフ呼出信号に含まれる子機識別情報から呼出操作部４が操作されたナースコール子機１を特定することができるように、スピーカーから音声を出力させたり、表示灯を点灯または点滅させたり、表示装置の表示を行わせたりして報知を行う。また、複数のナースコール子機１からの呼び出しが重複した場合には、報知部１３は、患者が医療従事者を呼び出していることを示す報知よりも医療従事者が他の医療従事者の応援を要請していることを示す報知を優先して報知を行う。また、同じ種類の報知が重複した場合には、報知部１３は、先に呼出信号（またはスタッフ呼出信号）を入力した方を優先して報知を行う。また、呼び出しの重複とは、あるナースコール子機１にて呼び出しが行われた時点と略同時に他のナースコール子機１にて呼び出しが行われたことや、報知部１３が、あるナースコール子機１からの呼び出しを報知している状態で、他のナースコール子機１にて呼び出しが行われたことを示す。
【００２４】
Ｉ／Ｆ部１２がナースコール子機１から出力された呼出信号を入力すると、制御部１１は、患者が医療従事者を呼び出していることを示す報知を報知部１３に行わせる。また、Ｉ／Ｆ部１２がナースコール子機１から出力されたスタッフ呼出信号を入力すると、制御部１１は、医療従事者が他の医療従事者の応援を要請していることを示す報知を報知部１３に行わせる。
【００２５】
応答操作部１４は、フックスイッチなどにより構成されており、ナースコール子機１からの呼び出しの報知に対する応答を行うために操作される。ここで、ナースコール親機１０では、ハンドセット（図示せず）を置き台などに置くことで、置き台に設けられているフックスイッチがハンドセットの重みにより押されてオンフックを検出する。また、ハンドセットを置き台から取り上げることで、ハンドセットの重みにより押されていたフックスイッチが元の状態に戻ってオフフックを検出する。Ｉ／Ｆ部１２がナースコール子機１から呼出信号やスタッフ呼出信号を入力し、報知部１３が報知を行っている状態でフックスイッチがオフフックの状態を検出すると、応答操作部１４が操作された状態となり、制御部１１は、報知部１３の動作を停止させるとともに、応答信号を生成する。応答信号は、応答操作部１４が操作されたことをナースコール子機１へ伝達するための信号である。また、応答信号は、応答操作部１４が操作される際に行われている報知部１３の報知によって特定されるナースコール子機１を他のナースコール子機１と識別するための子機識別情報を含む。
【００２６】
また、フックスイッチがオフフックを検出すると、制御部１１は、自装置とナースコール子機１との間で通話路を形成する。通話路が形成されると、制御部１１は、ハンドセットに設けたマイクおよびスピーカー（ともに図示せず）を動作させる。マイクは、ハンドセットを使用している医療従事者の声を含むナースコール親機１０の周囲の音声を入力して、入力した周囲の音声を音声信号に変換して制御部１１へ出力する。また、Ｉ／Ｆ部１２は、制御部１１がマイクから入力した音声信号をナースコール子機１へ出力する。また、制御部１１は、Ｉ／Ｆ部１２が入力した音声信号をスピーカーへ出力する。また、スピーカーは、ナースコール子機１から入力した音声信号を音声により出力する。また、フックスイッチがハンドセットの重みにより押されてオンフックを検出すると、制御部１１は形成されていた通話路を切断する。通話路が切断されると、制御部１１はマイクおよびスピーカーの動作を停止させる。
【００２７】
このように構成されているナースコールシステムにおいて、図２（ａ）に示すように、病室のベッドに居る患者が医療従事者を呼び出す場合には、患者は、ナースコール子機１の呼出操作部４を操作する。すると、子機用制御部２は、このナースコール子機１の子機識別情報を含む呼出信号を生成する。子機用Ｉ／Ｆ部３は、子機用制御部２にて生成した呼出信号をナースコール親機１０へ出力する。
【００２８】
ナースコール親機１０では、Ｉ／Ｆ部１２がナースコール子機１から出力された呼出信号を入力すると、制御部１１は、入力した呼出信号に含まれる子機識別情報によって特定されるナースコール子機１により患者が医療従事者を呼び出していることを示す報知を報知部１３に行わせる。ナースコール親機１０が設置されているナースステーションに居る医療従事者ａがハンドセットを置き台から取り上げて患者からの呼び出しに応答すると、応答操作部１４が操作される。すると、制御部１１は報知部１３の動作を停止させるとともに、上述した子機識別情報を含む応答信号を生成する。Ｉ／Ｆ部１２は、制御部１１にて生成した応答信号をナースコール子機１へ出力する。ナースコール子機１では、子機用Ｉ／Ｆ部３がこのナースコール子機１の子機識別情報を含む応答信号を入力する。
【００２９】
それに併せて、制御部１１は、自装置とナースコール子機１との間で通話路を形成する。すると、患者からの呼び出しに応答した医療従事者ａは、取り上げたハンドセットを使用して呼出操作部４を操作した患者に対して、「今から行きます」などと返事をする。その後、医療従事者ａは、使用していたハンドセットを置き台に置いて患者との通話を終了する。すると、制御部１１は形成されていた通話路を切断する。
【００３０】
また、患者との通話を終了した医療従事者ａは、自分が居るナースステーションからその患者が居る病室へ赴く。その後、その患者の容体が急に悪化した場合に、医療従事者ａは、他の医療従事者ｂの応援を要請するために、ナースコール子機１の呼出操作部４を操作する（図２（ｂ）を参照）。すると、子機用制御部２は、このナースコール子機１の子機識別情報を含むスタッフ呼出信号を生成する。子機用Ｉ／Ｆ部３は、子機用制御部２にて生成したスタッフ呼出信号をナースコール親機１０へ出力する。
【００３１】
ナースコール親機１０では、Ｉ／Ｆ部１２がナースコール子機１から出力されたスタッフ呼出信号を入力すると、制御部１１は、入力したスタッフ呼出信号に含まれる子機識別情報によって特定されるナースコール子機１により医療従事者が他の医療従事者の応援を要請していることを示す報知を報知部１３に行わせる。ナースコール親機１０が設置されているナースステーションに居る他の医療従事者ｂがハンドセットを置き台から取り上げて患者からの呼び出しに応答すると、応答操作部１４が操作される。すると、制御部１１は報知部１３の動作を停止させるとともに、上述した子機識別情報を含む応答信号を生成する。Ｉ／Ｆ部１２は、制御部１１にて生成した応答信号をナースコール子機１へ出力する。ナースコール子機１では、子機用Ｉ／Ｆ部３がこのナースコール子機１の子機識別情報を含む応答信号を入力する。
【００３２】
それに併せて、制御部１１は、自装置とナースコール子機１との間で通話路を形成する。すると、呼出操作部４を操作した医療従事者ａは、ナースコール子機１を使用して他の医療従事者ｂに患者の状態を伝える。医療従事者ａからの呼び出しに応答した他の医療従事者ｂは、取り上げたハンドセットを使用して医療従事者ａから患者の状態や応援の必要性を聞いて、病室に急行する旨を医療従事者ａに伝える。その後、他の医療従事者ｂは、使用していたハンドセットを置き台に置いて医療従事者ａとの通話を終了する。すると、制御部１１は形成されていた通話路を切断する。
【００３３】
また、医療従事者ａとの通話を終了した他の医療従事者ｂは、呼出操作部４が操作されたナースコール子機１が設置されている病室へ急行する。そして、医療従事者ａおよび他の医療従事者ｂは、容体が急に悪化した患者に対して処置を施す。その後、医療従事者ａまたは他の医療従事者ｂは、ナースコール子機１の復旧操作部５を操作する。すると、子機用制御部２は、このナースコール子機１を元の状態に戻すとともに、このナースコール子機１の子機識別情報を含む復旧信号を生成する。子機用Ｉ／Ｆ部３は、子機用制御部２にて生成した復旧信号をナースコール親機１０へ出力する。ナースコール親機１０では、Ｉ／Ｆ部１２がこのナースコール子機１の子機識別情報を含む復旧信号を入力するが、この時点では既に報知部１３の動作が停止しているため、制御部１１は何もしない。
【００３４】
以上、詳しく説明したように、本実施形態のナースコールシステムでは、ナースコール子機１の呼出操作部４が操作されると、子機用制御部２は呼出信号を生成し、子機用Ｉ／Ｆ部３は子機用制御部２にて生成された呼出信号をナースコール親機１０へ出力する。ナースコール親機１０のＩ／Ｆ部１２が呼出信号を入力すると、制御部１１は、患者が医療従事者を呼び出していることを示す報知を報知部１３に行わせる。報知部１３により報知が行われている状態で、応答操作部１４が操作されると、制御部１１は、報知部１３の動作を停止させるとともに、応答信号を生成する。Ｉ／Ｆ部１２は、制御部１１にて生成された応答信号をナースコール子機１へ出力する。この応答信号を子機用Ｉ／Ｆ部３にて入力したナースコール子機１で呼出操作部４が操作されると、子機用制御部２はスタッフ呼出信号を生成し、子機用Ｉ／Ｆ部３は子機用制御部２にて生成されたスタッフ呼出信号をナースコール親機１０へ出力する。このスタッフ呼出信号をＩ／Ｆ部１２が入力すると、制御部１１は、医療従事者が他の医療従事者の応援を要請していることを示す報知を報知部１３に行わせるようにしている。
【００３５】
これにより、報知を停止する応答操作が行われた後に呼出操作部４が再度操作された場合には、応答操作を行った医療従事者がナースコール子機１を元の状態に戻すために呼び出しを行った患者の居る病室へ赴き、その医療従事者が呼出操作部４を操作したと考えられるので、その医療従事者が他の医療従事者の応援を要請していることを示す報知が報知部１３にて行われる。そのため、患者が呼出操作部４を一度だけ操作しても、医療従事者が他の医療従事者の応援を要請していることを示す報知は行われない。また、二度目に呼出操作部４が操作された場合に、医療従事者が他の医療従事者の応援を要請していることを示す報知が行われる。従って、医療従事者は、ＩＣタグおよびタグリーダーを用いることなく、通常の呼び出しを行うための呼出操作部を利用して他の医療従事者の応援を要請することができる。
【００３６】
なお、前述した実施形態では、応答操作部１４は、フックスイッチにより構成されているが、これに限定されない。例えば、応答操作部１４が報知部１３の動作を停止させるためのボタンにより構成されるようにしても良い。
【００３７】
また、前述した実施形態では、制御部１１は、Ｉ／Ｆ部１２がナースコール子機１から出力された呼出信号を入力した場合に、患者が医療従事者を呼び出していることを示す報知を報知部１３に行わせ、Ｉ／Ｆ部１２がナースコール子機１から出力されたスタッフ呼出信号の何れかを入力した場合に、医療従事者が他の医療従事者の応援を要請していることを示す報知を報知部１３に行わせているが、これに限定されない。例えば、応答操作部１４が操作されていない状態でＩ／Ｆ部１２´が呼出信号を入力した場合に、制御部１１´が、患者が医療従事者を呼び出していることを示す報知を報知部１３に行わせるようにするとともに、応答操作部１４が操作された後にＩ／Ｆ部１２´が呼出信号を入力した場合に、制御部１１´が、医療従事者が他の医療従事者の応援を要請していることを示す報知を報知部１３に行わせるようにしても良い。
【００３８】
具体的には、図３に示すように、本変形例のナースコールシステムは、ナースコール子機１´およびナースコール親機１０´を備えて構成されている。また、ナースコール子機１´は、子機用制御部２´、子機用インターフェース部（以下、Ｉ／Ｆ部と記載する）３´、呼出操作部４を備えて構成されている。また、ナースコール親機１０´は、制御部１１´、インターフェース部（以下、Ｉ／Ｆ部と記載する）１２´、報知部１３、応答操作部１４を備えて構成されている。ここで、上述した実施形態と同じ構成要素については、同じ符号を付して説明を一部省略する。
【００３９】
ナースコール子機１´の子機用制御部２´は、ＣＰＵなどにより構成されており、ナースコール子機１´の各構成要素を後述するように制御する。子機用Ｉ／Ｆ部３´は、ナースコール子機１´にナースコール親機１０´を接続して通信を行う。ここで、子機用Ｉ／Ｆ部３´は、後述する処理により生成された呼出信号をナースコール親機１０´へ出力する。
【００４０】
呼出操作部４が操作されると、子機用制御部２´は呼出信号を生成する。ここで、子機用制御部２´が呼出信号を生成した後に呼出操作部４が続けて操作されても、子機用制御部２´は呼出信号を生成する。
【００４１】
ナースコール親機１０´の制御部１１´は、ＣＰＵなどにより構成されており、ナースコール親機１０´の各構成要素を後述するように制御する。Ｉ／Ｆ部１２´は、ナースコール親機１０´にナースコール子機１´を接続して通信を行う。ここで、Ｉ／Ｆ部１２´は、ナースコール子機１´から出力された呼出信号を入力する。
【００４２】
制御部１１´は、応答操作部１４が操作されずにＩ／Ｆ部１２´が呼出信号を入力したことと、応答操作部１４が操作された後にＩ／Ｆ部１２´が呼出信号を入力したこととの何れであるかを判定する。応答操作部１４が操作されずにＩ／Ｆ部１２´が呼出信号を入力したと制御部１１´にて判断した場合に、制御部１１´は、患者が医療従事者を呼び出していることを示す報知を報知部１３に行わせる。
【００４３】
報知部１３が報知を行っている状態で、応答操作部１４が操作されると、制御部１１´は報知部１３の動作を停止させる。また、応答操作部１４が操作された後にＩ／Ｆ部１２´が呼出信号を入力したと制御部１１´にて判断されるので、制御部１１´は、医療従事者が他の医療従事者の応援を要請していることを示す報知を報知部１３に行わせる。
【００４４】
これにより、Ｉ／Ｆ部１２´が同じ呼出信号を入力した場合でも、応答操作部１４の操作状況により、呼出操作部４が患者によって操作されたのか、医療従事者によって操作されたのかが制御部１１´によって判別されるので、ナースコール親機１０´からナースコール子機１´へ応答信号を出力する必要が無くなるとともに、ナースコール子機１´にてスタッフ呼出信号を生成する必要が無くなる。
【００４５】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４６】
１、１´    ナースコール子機
２、２´    子機用制御部
３、３´    子機用インターフェース（Ｉ／Ｆ）部
４    呼出操作部
５    復旧操作部
１０、１０´    ナースコール親機
１１、１１´    制御部
１２、１２´    インターフェース（Ｉ／Ｆ）部
１３    報知部
１４    応答操作部
【図１】
0005822344.tif 000002
【図２】
0005822344.tif 000003
【図３】
0005822344.tif 000004